【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
底面板と、該底面板の外周縁部から上方に向かって立設された側面板と、を備え、ターボ冷凍機用圧縮機を構成するケーシングの底部を形成するターボ冷凍機用圧縮機のオイルタンクであって、
前記底面板の内部には、当該底面板の一端面から、該一端面の反対側に位置する他端面に向かって延びる穴が設けられており、この穴内には、当該穴に対して抜き差し可能に構成された棒状のヒーターが挿通され、
前記底面板の上面から上方に向かって突出する複数枚の伝熱フィンが設けられていることを特徴とするターボ冷凍機用圧縮機のオイルタンク。
【請求項２】
前記穴と前記ヒーターとの間に、熱伝導率の大きい伝熱流体が充填されていることを特徴とする請求項１に記載のターボ冷凍機用圧縮機のオイルタンク。
【請求項３】
請求項１または２に記載のターボ冷凍機用圧縮機のオイルタンクを備えていることを特徴とするターボ冷凍機用圧縮機。
【請求項４】
請求項３に記載のターボ冷凍機用圧縮機を備えていることを特徴とするターボ冷凍機。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明に係るターボ冷凍機用圧縮機のオイルタンクは、底面板と、該底面板の外周縁部から上方に向かって立設された側面板と、を備え、ターボ冷凍機用圧縮機を構成するケーシングの底部を形成するターボ冷凍機用圧縮機のオイルタンクであって、前記底面板の内部には、当該底面板の一端面から、該一端面の反対側に位置する他端面に向かって延びる穴が設けられており、この穴内には、当該穴に対して抜き差し可能に構成された棒状のヒーターが挿通され、前記底面板の上面から上方に向かって突出する複数枚の伝熱フィンが設けられている。
【手続補正９】
【補正対象書類名】明細書
【補正対象項目名】００１３
【補正方法】変更
【補正の内容】
【００１３】
本発明に係るターボ冷凍機用圧縮機のオイルタンクによれば、ヒーターの交換または点検が、底面板の内部に設けられた穴に対してヒーターを抜き差しするだけで行われることになる。
これにより、オイルタンク内に存するオイル、およびターボ冷凍機内に存する冷媒を回収することなくヒーターを交換または点検することができる。
また、ヒーターによって温められる底面板とオイルとの接触面積を増大させることができ、オイルをより効率よく温めることができて、より出力の小さいヒーターを採用することができる。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２７
【補正方法】変更
【補正の内容】
【００２７】
【図１】本発明の第１参考実施形態に係るターボ冷凍機用圧縮機のオイルタンクを一部断面で示す図である。
【図２】本発明の第２参考実施形態に係るターボ冷凍機用圧縮機のオイルタンクを一部断面で示す図である。
【図３】本発明の第３参考実施形態に係るターボ冷凍機用圧縮機のオイルタンクを一部断面で示す図である。
【図４】本発明の実施形態に係るターボ冷凍機用圧縮機のオイルタンクを一部断面で示す図である。
【手続補正１７】
【補正対象書類名】明細書
【補正対象項目名】００２８
【補正方法】変更
【補正の内容】
【００２８】
〔第１参考実施形態〕
以下、本発明の第１参考実施形態に係るターボ冷凍機用圧縮機のオイルタンク、および本発明の第１参考実施形態に係るターボ冷凍機用圧縮機のオイルタンクを備えたターボ冷凍機用圧縮機、ならびに本発明の第１参考実施形態に係るターボ冷凍機用圧縮機を備えたターボ冷凍機について、図１を用いて説明する。
図１に示すように、本実施形態に係るターボ冷凍機１Ａは、例えば、空気調節用の冷却水を生成するためにビルディングや工場に設置されるものであり、電動機２によって回転駆動され冷媒蒸気を圧縮して高圧蒸気にするターボ冷凍機用圧縮機（ターボ形圧縮機）３Ａと、冷水を蒸発させる蒸発器（図示せず）と、高圧蒸気を冷却水で冷却して凝縮させる凝縮器（図示せず）と、凝縮した冷媒を減圧して膨張させて蒸発器に送る膨張機（図示せず）と、を備えている。ターボ冷凍機用圧縮機３Ａ、蒸発器、凝縮器、および膨張機は、冷媒を循環させる冷媒配管（図示せず）によって連結されている。
【手続補正１８】
【補正対象書類名】明細書
【補正対象項目名】００３８
【補正方法】変更
【補正の内容】
【００３８】
〔第２参考実施形態〕
本発明の第２参考実施形態に係るターボ冷凍機用圧縮機のオイルタンク、および本発明の第２参考実施形態に係るターボ冷凍機用圧縮機のオイルタンクを備えたターボ冷凍機用圧縮機、ならびに本発明の第２参考実施形態に係るターボ冷凍機用圧縮機を備えたターボ冷凍機について、図２を用いて説明する。
図２に示すように、本実施形態に係るターボ冷凍機１Ｂは、例えば、空気調節用の冷却水を生成するためにビルディングや工場に設置されるものであり、電動機２によって回転駆動され冷媒蒸気を圧縮して高圧蒸気にするターボ冷凍機用圧縮機（ターボ形圧縮機）３Ｂと、冷水を蒸発させる蒸発器（図示せず）と、高圧蒸気を冷却水で冷却して凝縮させる凝縮器（図示せず）と、凝縮した冷媒を減圧して膨張させて蒸発器に送る膨張機（図示せず）と、を備えている。ターボ冷凍機用圧縮機３Ｂ、蒸発器、凝縮器、および膨張機は、冷媒を循環させる冷媒配管（図示せず）によって連結されている。
【手続補正１９】
【補正対象書類名】明細書
【補正対象項目名】００４７
【補正方法】変更
【補正の内容】
【００４７】
〔第３参考実施形態〕
本発明の第３参考実施形態に係るターボ冷凍機用圧縮機のオイルタンク、および本発明の第３参考実施形態に係るターボ冷凍機用圧縮機のオイルタンクを備えたターボ冷凍機用圧縮機、ならびに本発明の第３参考実施形態に係るターボ冷凍機用圧縮機を備えたターボ冷凍機について、図３を用いて説明する。
図３に示すように、本実施形態に係るターボ冷凍機１Ｃは、例えば、空気調節用の冷却水を生成するためにビルディングや工場に設置されるものであり、電動機２によって回転駆動され冷媒蒸気を圧縮して高圧蒸気にするターボ冷凍機用圧縮機（ターボ形圧縮機）３Ｃと、冷水を蒸発させる蒸発器（図示せず）と、高圧蒸気を冷却水で冷却して凝縮させる凝縮器（図示せず）と、凝縮した冷媒を減圧して膨張させて蒸発器に送る膨張機（図示せず）と、を備えている。ターボ冷凍機用圧縮機３Ｃ、蒸発器、凝縮器、および膨張機は、冷媒を循環させる冷媒配管（図示せず）によって連結されている。
【手続補正２０】
【補正対象書類名】明細書
【補正対象項目名】００５７
【補正方法】変更
【補正の内容】
【００５７】
〔実施形態〕
本発明の実施形態に係るターボ冷凍機用圧縮機のオイルタンク、および本発明の実施形態に係るターボ冷凍機用圧縮機のオイルタンクを備えたターボ冷凍機用圧縮機、ならびに本発明の実施形態に係るターボ冷凍機用圧縮機を備えたターボ冷凍機について、図４を用いて説明する。
図４に示すように、本実施形態に係るターボ冷凍機１Ｄは、例えば、空気調節用の冷却水を生成するためにビルディングや工場に設置されるものであり、電動機２によって回転駆動され冷媒蒸気を圧縮して高圧蒸気にするターボ冷凍機用圧縮機（ターボ形圧縮機）３Ｄと、冷水を蒸発させる蒸発器（図示せず）と、高圧蒸気を冷却水で冷却して凝縮させる凝縮器（図示せず）と、凝縮した冷媒を減圧して膨張させて蒸発器に送る膨張機（図示せず）と、を備えている。ターボ冷凍機用圧縮機３Ｄ、蒸発器、凝縮器、および膨張機は、冷媒を循環させる冷媒配管（図示せず）によって連結されている。
【手続補正２１】
【補正対象書類名】明細書
【補正対象項目名】００６３
【補正方法】変更
【補正の内容】
【００６３】
本実施形態に係るターボ冷凍機用圧縮機３Ｄのオイルタンク７０、すなわち、ヒーター８２を備えたターボ冷凍機用圧縮機３Ｄのオイルタンク７０によれば、底面板７１の上面から上方に向かって突出する複数枚の伝熱フィン８６が設けられているので、ヒーター８２によって温められる底面板７１とオイル８７との接触面積を増大させることができ、オイル８６をより効率よく温めることができて、より出力の小さいヒーターを採用することができる。
その他の作用効果は、上述した第２参考実施形態のものと同じであるので、ここではその説明を省略する。
【手続補正２２】
【補正対象書類名】明細書
【補正対象項目名】００６４
【補正方法】変更
【補正の内容】
【００６４】
なお、本発明は上述した実施形態に限定されるものではなく、適宜必要に応じて変形・変更して実施することもできる。
例えば、上述した第１参考実施形態では、保護管２２とヒーター２６との間に、熱伝導率の大きい伝熱流体を充填するようにしたが、この伝熱流体は、必須のものではない。
【手続補正２３】
【補正対象書類名】明細書
【補正対象項目名】００６５
【補正方法】変更
【補正の内容】
【００６５】
また、上述した第２参考実施形態では、穴４１とヒーター４２との間に、熱伝導率の大きい伝熱流体を充填するようにしたが、この伝熱流体は、必須のものではない。
【手続補正２４】
【補正対象書類名】明細書
【補正対象項目名】００６６
【補正方法】変更
【補正の内容】
【００６６】
さらに、上述した第３参考実施形態では、底面板５１の外表面、側面板５４の外表面、および図示しない側面板の外表面とヒーター６１との双方に密着するようにして、熱伝導率の大きい帯状の金属が挟み込まれるようにしたが、この金属は、必須のものではない。
【手続補正２５】
【補正対象書類名】明細書
【補正対象項目名】００６７
【補正方法】変更
【補正の内容】
【００６７】
さらにまた、上述した第３参考実施形態では、底面板５１の外表面、側面板５４の外表面、および図示しない側面板の外表面を覆うようにしてヒーター６１が取り付けられているものを一具体例として挙げて説明したが、本発明はこれに限定されるものではなく、底面板５１の外表面のみを覆うようにしてヒーターを取り付けることもできる。
【手続補正２６】
【補正対象書類名】明細書
【補正対象項目名】００６８
【補正方法】変更
【補正の内容】
【００６８】
さらにまた、上述した実施形態では、第２参考実施形態とフィン８６とを組み合わせたものを一実施形態として挙げて説明したが、本発明はこれに限定されるものではなく、第３参考実施形態とフィン８６とを組み合わせることもできる。
【手続補正２７】
【補正対象書類名】明細書
【補正対象項目名】００６９
【補正方法】変更
【補正の内容】
【００６９】
さらにまた、上述した第２参考実施形態、第３参考実施形態、実施形態のものでは、底面板および側面板が高温になるおそれがあるので、オイルの温度を測定する（第１の）温度計と、オイルタンクの温度を測定する（第２の）温度計とを設けて、オイルの温度およびオイルタンクの温度の双方を監視して、ヒーターをオン・オフさせるようにするとさらに好適である。
これにより、人の手が触れるおそれのあるオイルタンクの温度が過度に熱くなるのを防止することができ、安全性を向上させることができる。
【手続補正２８】
【補正対象書類名】明細書
【補正対象項目名】００７０
【補正方法】変更
【補正の内容】
【００７０】
さらにまた、第１参考実施形態、第２参考実施形態、実施形態ではオイルタンクの外側全体、第３参考実施形態ではオイルタンクおよびヒーターの外側全体が、保温材で覆われるようにするとさらに好適である。
これにより、放熱量を低減させて保温性を高めることができ、ヒーターの消費電力を低減させることができて、ランニングコストを低減させることができる。
【手続補正２９】
【補正対象書類名】明細書
【補正対象項目名】００７１
【補正方法】変更
【補正の内容】
【００７１】
さらにまた、第２参考実施形態、実施形態において、ヒーター４２，８２が５００Ｗの容量を有するヒーター×４本（合計２０００Ｗ）で構成されているとされているとさらに好適である。
これにより、例えば、オイルタンク３０，７０の温度が３０℃以下のときには、４本全部を使用してオイルタンク３０，７０を加熱し、オイルタンク３０，７０の温度が３０℃より高く５０℃よりも低いときには、４本のうちの３本を使用してオイルタンク３０，７０を加熱し、オイルタンク３０，７０の温度が５０℃以上のときには、４本のうちの２本を使用してオイルタンク３０，７０を加熱することができる。
すなわち、オイルの加熱時間に余裕のある、オイルタンク３０，７０の温度が高い条件では、ヒーター４２，８２からオイルタンク３０，７０への加熱量を小さくすることができて、周囲雰囲気への放熱量を小さくすることができる。